(57)【要約】  本発明は、付香組成物の分野に関する。より詳述すれば、香油、トリシクロデカンジメタノールアルコールを含む増粘剤、及びヘキシレングリコールを含む香料キャリヤーを含む安定な付香組成物を記載している。前記組成物の結晶化を妨げるためにトリシクロデカンジメタノールアルコール及び香油を含む組成物中でヘキシレングリコールを使用することが、本発明の目的でもある。【特許請求の範囲】
【請求項１】
以下、
−  トリシクロデカンジメタノールアルコールを含む増粘剤、
−  少なくとも１つの付香成分を含む香油、
−  ヘキシレングリコールを含む少なくとも１つの香料キャリヤー、
−  任意に、付香補助剤
を含む付香組成物であって、付香組成物中のトリシクロデカンジメタノールアルコールとヘキシレングリコールの質量比が、０．１〜１５である、前記付香組成物。
【請求項２】
前記付香組成物の全質量に対して、少なくとも５質量％のトリシクロデカンジメタノールアルコールを含む、請求項１に記載の付香組成物。
【請求項３】
前記付香組成物の全質量に対して、５０質量％までの香油を含む、請求項１又は２に記載の付香組成物。
【請求項４】
前記付香組成物の全質量に対して、４０質量％までのヘキシレングリコールを含む、請求項１から３までのいずれか１項に記載の付香組成物。
【請求項５】
前記香料キャリヤーが、さらに、ジプロピレングリコール、グリセロール、１，２−ペンタンジオール、１，２−ヘキサンジオール、Ｄ，Ｌ−１，２−イソプロピリデングリセロール、プロパンジオール、ブタンジオール及びそれらの混合物からなる群から選択される少なくとも１つの補助溶剤を含む、請求項１から４までのいずれか１項に記載の付香組成物。
【請求項６】
前記補助溶剤がジプロピレングリコールである、請求項５に記載の付香組成物。
【請求項７】
前記補助溶剤を、前記組成物の全質量に対して５〜３０質量％の量で使用する、請求項５又は６に記載の付香組成物。
【請求項８】
さらに水性相を含む、請求項１から７までのいずれか１項に記載の付香組成物。
【請求項９】
前記水性相を、前記組成物の全質量に対して０．０１質量％〜１質量％の量で使用する、請求項８に記載の付香組成物。
【請求項１０】
２０℃で５００〜５０００ｍＰａ．ｓの粘度を有する、請求項１から９までのいずれか１項に記載の付香組成物。
【請求項１１】
前記香料補助剤が、着色剤、防腐剤、ｐＨ調整剤、抗酸化剤、キレート剤、ＵＶフィルター、クエンチャー、シリコン油、及びそれらの混合物からなる群から選択される、請求項１から１０までのいずれか１項に記載の付香組成物。
【請求項１２】
以下、
（ｉ）好ましくは７０℃〜１２０℃の温度でトリシクロデカンジメタノールアルコールを加熱するステップ、
（ｉｉ）ステップ（ｉ）で得られた混合物を冷却した後に香油を添加するステップ
からなるステップを含む付香組成物の製造方法であって、ヘキシレングリコールを、ステップ（ｉ）又はステップ（ｉｉ）で添加し、付香組成物中のトリシクロデカンジメタノールアルコールとヘキシレングリコールの質量比が、０．１〜１５である、前記方法。
【請求項１３】
トリシクロデカンジメタノールアルコールを、９０℃〜１２０℃、好ましくは１００℃〜１２０℃の温度で加熱する、請求項１２に記載の方法。
【請求項１４】
請求項１から１１までのいずれか１項において定義される付香組成物、又は請求項１２又は１３において定義された方法により得られる付香組成物を含む消費者製品であって、好ましくはファインフレグランス製品又はエアフレッシュナーの形での消費者製品。
【請求項１５】
トリシクロデカンジメタノールアルコール及び香油を含む付香組成物中での、該組成物の結晶化を妨げるためのヘキシレングリコールの使用。
【発明の詳細な説明】
【技術分野】
【０００１】
本発明は、付香組成物の分野に関する。より詳述すれば、本発明は、香油、トリシクロデカンジメタノールアルコールを含む増粘剤（viscosifying aget）、及びヘキシレングリコールを含む香料キャリヤーを含む安定な付香組成物を記載している。
【０００２】
前記組成物の結晶化を妨げるためにトリシクロデカンジメタノールアルコールを含む付香組成物中でヘキシレングリコールを使用することが、本発明の目的でもある。
【０００３】
背景技術
トリシクロデカンジメタノールアルコール（ＴＣＤアルコールＤＭとしても公知である）は、粘性のある着香組成物のために使用される非常に粘性のある添加剤である。
【０００４】
ＴＣＤアルコールＤＭは、室温での貯蔵に対して結晶化するか又はゲル化さえする傾向があることが知られている。
【０００５】
したがって、香油を含む消費者製品中で導入される場合に、トリシクロデカンジメタノールアルコールを加熱して透明でより流動的にする必要がある。
【０００６】
しかしながら、貯蔵に対して、再結晶化は、最終の消費者製品において生じ、貯蔵状態に対して最終製品の貯蔵寿命の予測を困難にする。
【０００７】
いくつかの非常に粘性のある油状物（「Ｍｕｋｈａｌｌａｔ（ムハラット）」と呼ばれる）が市販されている。これらの組成物は、ＴＣＤアルコールＤＭ、香料及びジプロピレングリコールを含む。しかしながら、それらは経時的に結晶化し、付香組成物の魅力を低下させ、いくつかの場合には使用さえできなくなることが観察されている。
【０００８】
したがって、貯蔵に対して安定である粘性のある着香組成物を提供する必要がある。
【０００９】
我々の知る限り、付香組成物中のＴＣＤアルコールＤＭの結晶化の防止を扱う先行技術はない。
【００１０】
本発明の組成物は、ＴＣＤアルコールＤＭに加えて特定の添加剤を含み、経時的に組成物の結晶化を防止するため、この問題を解決する。
【００１１】
発明の要旨
本発明の第一の目的は、
−  トリシクロデカンジメタノールアルコールを含む増粘剤、
−  少なくとも１つの付香成分を含む香油、
−  ヘキシレングリコールを含む少なくとも１つの香料キャリヤー、
−  任意に、付香補助剤
を含む付香組成物であり、その際、付香組成物中のトリシクロデカンジメタノールアルコールとヘキシレングリコールの質量比は、０．１〜１５である。
【００１２】
本発明の第二の目的は、前記で定義した組成物の製造方法である。
【００１３】
第三の目的は、前記で定義した組成物を含む消費者製品である。
【００１４】
最終的に、本発明の最後の目的は、トリシクロデカンジメタノールアルコールと少なくとも１つの付香成分を含む香油とを含む付香組成物中でヘキシレングリコールを使用して、経時的に該組成物の結晶化を妨げることである。
【００１５】
発明の詳細な説明
特に明記されない限り、パーセンテージ（％）は、組成物の質量百分率を示すことを意味する。
【００１６】
付香組成物
本発明は、トリシクロデカンジメタノールアルコールと香油とを含む組成物の結晶化を、該組成物中に添加剤としてヘキシレングリコールを使用することによって妨げる方法を定義している。
【００１７】
したがって、本発明の第一の目的は、
−  トリシクロデカンジメタノールアルコールを含む増粘剤、
−  少なくとも１つの付香成分を含む香油、
−  ヘキシレングリコールを含む少なくとも１つの香料キャリヤー、
−  任意に、付香補助剤
を含む付香組成物であり、その際、付香組成物中のトリシクロデカンジメタノールアルコールとヘキシレングリコールの質量比は、０．１〜１５である。
【００１８】
本発明の組成物は、単相組成物である。言い換えれば、二相組成物、例えばエマルションは、この定義に含まれない。
【００１９】
本発明の組成物は、室温（ＲＴ）で透明である。
【００２０】
「室温」に関しては、２０〜２５℃の温度であることを理解すべきである。
【００２１】
透明という用語は、着色剤又は蛍光剤を含まない溶液が、脱塩水に対する基準として１ｃｍの光路長で１００％の可視光（５００〜８００ｎｍ）の透過率の値を有することを意味する。
【００２２】
しかしながら、本発明による組成物は、透明でありながら着色剤を含むことができることを理解すべきである。
【００２３】
典型的に、本発明の組成物は、１０ＮＴＵ未満、好ましくは５ＮＴＵ未満、より好ましくは０．０１〜５ＮＴＵの濁度を有する。
【００２４】
前記組成物は、好ましくは２０℃で５００ｍＰａ．ｓ超、より好ましくは２０℃で５００〜５０００ｍＰａ．ｓ、より好ましくは２０℃で２０００〜５０００ｍＰａ．ｓの粘度を有する。
【００２５】
粘度は、２１秒-1の剪断速度でＴＡ Ｉｎｓｔｒｕｍｅｎｔｓ Ｖ５．４．０のレオメーターＡＲ−２０００モデルを使用することにより測定できる。
【００２６】
香油
本発明に従って、香油は、少なくとも１つの付香成分を含む。
【００２７】
「香油」（又は「香料」もしくは「フレグランス」）に関して、ここでは、約２０℃で液体である成分又は組成物を意味する。前記実施形態のいずれか１つに従って、前記香油は、付香成分のみ又は付香組成物の形での付香成分の混合物であってよい。「付香成分」としては、ここでは、においを付与又は調整する主な目的のために使用される化合物を意味する。言い換えれば、付香成分であると考えられるべきかかる成分は、ポジティブ又は好ましい方法で組成物のにおいを少なくとも付与又は改質することができ、単に１つのにおいを有するだけでないと当業者によって認識される必要がある。本発明の目的のために、香油は、共に付香成分の送達を改善する、高める又は改質する物質を有する付香成分、例えば香料前駆体の組み合わせ物、及びにおいを改質又は付与する以上の追加の利点、例えば長続きすること、ブルーミング、悪臭中和、抗菌効果、微生物の安定性、昆虫防除を付与する組み合わせ物も含む。
【００２８】
いずれにしても網羅的とはならないであろう香油中に存在する付香成分の性質及びタイプは、ここでより詳細な記載を保証するものではなく、当業者は、一般の知識に基づいて、及び意図された使用又は適用及び所望された感覚刺激性効果に従って、それらを選択することができる。一般的な用語で、これらの付香成分は、アルコール、アルデヒド、ケトン、エステル、エーテル、アセテート、ニトリル、テルペノイド、窒素又は硫黄の複素環化合物及び精油と多様な化学品種に属し、かつ該付香補助成分は、天然又は合成由来のものであってよい。これらの補助成分の多くは、いずれにしても、参考文献、例えばＳ． ＡｒｃｔａｎｄｅｒによるＰｅｒｆｕｍｅ ａｎｄ Ｆｌａｖｏｒ Ｃｈｅｍｉｃａｌｓ， １９６９， Ｍｏｎｔｃｌａｉｒ， Ｎｅｗ Ｊｅｒｓｅｙ， ＵＳＡ、又はその最新版において、又は同様の種類の他の著作において、並びに香料の分野における豊富な特許文献において挙げられている。前記成分は、制御された方法で種々のタイプの付香化合物を放出することが公知の化合物であってもよい。
【００２９】
付香成分は、香料産業において現在使用している溶剤中で溶解されてよい。かかる溶剤の例は、グリコール／ジオール（例えばジプロピレングリコール）、ジエチルフタレート、トリエチルシトレート、ベンジルベンゾエート、イソプロピルミリステート、アバリンである。
【００３０】
特定の実施形態に従って、付香組成物はエタノールを有さない。
【００３１】
該付香成分は、調整された方法で種々のタイプの付香成分を放出するため、すなわち化学的反応による高分子量の前駆体の化学結合の開裂に公知の化合物と混合されてよいことも理解されるべきである。かかる化学的な放出分子は、一般に「プロフレグランス（ｐｒｏｆｒａｇｒａｎｃｅ）」又は「香料放出システム」として設定され、かつそれらは、一般に、におい物質がそれらのより重い前駆体の形ではなくそれ自体を使用する場合に生じうる嗅覚効果と比較して、特定のにおい物質の時間内での放出及び経時的なそれらの嗅覚への影響を延長するためにフレグランス中で使用される。
【００３２】
一実施形態に従って、香油は、アルデヒド、アルコール、エステル、ケトン、エーテル及びそれらの混合物からなる群において選択される少なくとも１つの香料原料を含む。特定の実施形態に従って、香油は、第１表における成分において選択される少なくとも１つの香料原料を含む。
【００３３】
【表１−１】
2020520399.tif 000002
【表１−２】
2020520399.tif 000003
【表１−３】
2020520399.tif 000004
＊出所：Ｆｉｒｍｅｎｉｃｈ ＳＡ、Ｇｅｎｅｖａ、Ｓｗｉｔｚｅｒｌａｎｄ
＊＊出所：Ｇｉｖａｕｄａｎ ＳＡ、Ｖｅｒｎｉｅｒ、Ｓｕｉｓｓｅ
＊＊＊出所：Ｉｎｔｅｒｎａｔｉｏｎａｌ Ｆｌａｖｏｒｓ ＆ Ｆｒａｇｒａｎｃｅｓ、ＵＳＡ。
【００３４】
一実施形態に従って、前記組成物は、組成物の全質量に対して５０質量％までの香油を含む。
【００３５】
前記組成物は、組成物の全質量に対して、好ましくは３質量％〜５０質量％、より好ましくは１０質量％〜３０質量％、さらにより好ましくは１５質量％〜２０質量％の香油を含む。
【００３６】
特定の実施形態に従って、香油は、機能性食品、化粧品、昆虫防除剤及び殺生剤活性からなる群から選択される他の成分と混合される。
【００３７】
特定の実施形態に従って、油相は香油からなる。
【００３８】
増粘剤
本発明に従って、付香組成物は、トリシクロデカンジメタノールアルコールを含む増粘剤を含む。
【００３９】
一実施形態に従って、増粘剤は、トリシクロデカンジメタノールアルコールからなる。
【００４０】
一実施形態に従って、前記組成物は、組成物の全質量に対して、少なくとも５質量％、好ましくは少なくとも１０質量％、より好ましくは少なくとも５０質量％のトリシクロデカンジメタノールアルコールを含む。
【００４１】
前記組成物は、組成物の全質量に対して、好ましくは５質量％〜７０質量％、好ましくは２０質量％〜７０質量％、さらにより好ましくは５０質量％〜６０質量％のトリシクロデカンジメタノールアルコールを含む。
【００４２】
トリシクロデカンジメタノールアルコール（ＴＣＤアルコールＤＭ）は、ＯＸＥＡ，ＧｍｂＨから市販されている。
【００４３】
香料キャリヤー
本発明の付香組成物は、香油を可溶化するために及び付香組成物の粘度を調整するために香料キャリヤーを含む。
【００４４】
ヘキシレングリコールが、付香組成物中で組み込まれる場合に、ＴＣＤアルコールＤＭの再結晶化を著しく阻止する及び／又は妨げることができたことが見出されている。
【００４５】
したがって、本発明は、香料キャリヤーが、ヘキシレングリコール（２−メチルペンタン−２，４−ジオール）を含むことにより特徴付けられる。
【００４６】
一実施形態に従って、前記組成物は、付香組成物の全質量に対して、４０質量％までのヘキシレングリコールを含む。
【００４７】
前記組成物は、組成物の全質量に対して、好ましくは４質量％〜４０質量％、より好ましくは１０質量％〜２５質量％のヘキシレングリコールを含む。
【００４８】
本発明に従って、トリシクロデカンジメタノールアルコールとヘキシレングリコールの質量比は、０．１〜１５、好ましくは０．５〜１０、より好ましくは０．５〜５である。
【００４９】
他の実施形態に従って、香料キャリヤーは、さらに、好ましくは、ジプロピレングリコール、グリセロール、１，２−ペンタンジオール、１，２−ヘキサンジオール、Ｄ，Ｌ−１，２−イソプロピリデングリセロールプロパンジオール、ブタンジオール及びそれらの混合物からなる群から選択される補助溶剤を含む。
【００５０】
特定の実施形態に従って、補助溶剤はジプロピレングリコールである。
【００５１】
一実施形態に従って、補助溶剤は、付香組成物の全質量に対して、０〜３０質量％、好ましくは５〜３０質量％の量で使用される。
【００５２】
任意の水性相
特定の実施形態に従って、前記組成物は、組成物の全質量に対して、好ましくは０．０１〜１質量％の量で水性相を含む。
【００５３】
任意の香料補助剤
本発明の組成物は、さらに香料補助剤を含んでよい。
【００５４】
「香料補助剤」に関しては、ここで、追加の付加効果、例えば色、特定の耐光性、化学安定性等を付与することができる成分を意味する。付香ベースにおいて慣用的に使用される補助剤の性質及びタイプの詳細な説明は網羅的なものにはなりえないが、しかし該成分が当業者に周知であることを挙げるべきである。
【００５５】
制限のない例として、着色剤、防腐剤、ｐＨ調整剤、抗酸化剤、キレート剤、ＵＶフィルター、クエンチャー、シリコン油、及びそれらの混合物を挙げられる。
【００５６】
かかる任意の香料補助剤は、５％（ｗ／ｗ）以下、又はさらに２％（ｗ／ｗ）以下であり、ここでパーセンテージは、組成物の全質量に対する。
【００５７】
特定の実施形態に従って、付香組成物は、
−  ３％〜５０％、より好ましくは１０％〜３０％、さらにより好ましくは１５％〜２０％の香油、
−  ５質量％〜７０質量％、好ましくは２０質量％〜７０質量％、さらにより好ましくは５０質量％〜６０質量％のトリシクロデカンジメタノールアルコール、
−  ４質量％〜４０質量％、より好ましくは１０質量％〜２５質量％のヘキシレングリコール、
−  ０〜３０質量％、好ましくは５〜３０質量％の補助溶剤、及び
−  ０〜５質量％、好ましくは０〜２質量％の香料補助剤
を含むか、好ましくはそれらからなる。
【００５８】
付香組成物の製造方法
本発明の他の目的は、
（ｉ）好ましくは７０℃〜１２０℃の温度でトリシクロデカンジメタノールアルコールを加熱するステップ、
（ｉｉ）ステップ（ｉ）で得られた混合物を冷却した後に香油を添加するステップ
からなるステップを含む付香組成物の製造方法であり、
その際ヘキシレングリコールを、ステップ（ｉ）又はステップ（ｉｉ）で添加し、
付香組成物中のトリシクロデカンジメタノールアルコールとヘキシレングリコールの質量比は、０．１〜１５である。
【００５９】
特定の実施形態に従って、トリシクロデカンジメタノールアルコールを高温で加熱した場合に結晶化の妨害が特に著しいことが見出されているため、トリシクロデカンジメタノールアルコールを、９０℃〜１２０℃、好ましくは１００℃〜１２０℃で加熱する。
【００６０】
一実施形態に従って、ステップｉｉ）において、混合物を２０〜４０℃の温度で冷却する。
【００６１】
水及び／又は補助溶剤が組成物中に存在する場合に、それらを、加熱温度及びそれらの沸点に従ってステップ（ｉ）で又はステップ（ｉｉ）で添加する。
【００６２】
付香組成物について前記した全ての技術的特徴は、前記で定義した方法にも適用される。
【００６３】
本発明の他の目的は、前記で定義した方法により得られる付香組成物である。
【００６４】
本発明の他の目的は、前記で定義した組成物を含む消費者製品、好ましくはファインフレグランス製品又はエアフレッシュナー製品の形での消費者製品である。
【００６５】
ファインフレグランス製品は、好ましくは、香料濃縮物、香水、抽出物、ムハラット（ｍｕｋｈａｌｌａｔ）、バラ油（ａｔｔａｒ）の形である。
【００６６】
本発明の他の目的は、トリシクロデカンジメタノールアルコール及び香油を含む付香組成物中でのヘキシレングリコールの使用により、トリシクロデカンジメタノールアルコールの結晶化を妨げることである。
【００６７】
本発明の他の目的は、トリシクロデカンジメタノールアルコール及び香油を含む付香組成物中で、該組成物にヘキシレングリコールを添加することによって結晶化を妨げるための方法である。
【００６８】
本発明を、実施例によりさらに説明する。請求される本発明は、これらの実施例により何ら制限されるものではないことを理解する。
【００６９】
実施例
試料調製物：全ての以下の実施例において、トリシクロデカンジメタノールアルコール（ＴＣＤアルコールＤＭ）、ヘキシレングリコール、及び任意に補助溶剤及び／又は水を、スパチュラを使用して一緒に混合する。そして、水浴を使用して、その混合物を、磁気撹拌下で密閉したバイアル中で７０℃（又は９０℃）まで加熱する。その試料を、１時間７０℃（又は９０℃）で撹拌させ、ＴＣＤアルコールＤＭの「目に見える」可溶化を完了させる。そしてその混合物を室温まで冷却させ、そしてフレグランスを添加し、スパチュラで混合する。
【００７０】
安定性の性能：以下の全ての実施例において、結晶化に対する安定性を時間の関数として視覚的に評価した。結晶化の開始は、一般に試料の濁った側面をもたらし、試料の底部で小さな結晶の顕著な沈殿及び堆積を生じる。
【００７１】
香油：次の香油を実施例において使用した（第１−ａ表〜第１−ｄ表を参照されたい）。
【００７２】
【表２−１】
2020520399.tif 000005
１）  メチルジヒドロジャスモネート、Ｆｉｒｍｅｎｉｃｈ ＳＡ、Ｇｅｎｅｖａ、Ｓｗｉｔｚｅｒｌａｎｄ
２）  ペンタデカノリド、Ｆｉｒｍｅｎｉｃｈ ＳＡ、Ｇｅｎｅｖａ、Ｓｗｉｔｚｅｒｌａｎｄ
３）  ペンタデカノリド、Ｆｉｒｍｅｎｉｃｈ ＳＡ、Ｇｅｎｅｖａ、Ｓｗｉｔｚｅｒｌａｎｄ
４）  （−）−（８Ｒ）−８，１２−エポキシ−１３，１４，１５，１６−テトラノルラブダン、Ｆｉｒｍｅｎｉｃｈ ＳＡ、Ｇｅｎｅｖａ、Ｓｗｉｔｚｅｒｌａｎｄ
５）  （１Ｓ，１’Ｒ）−２−［１−（３’，３’−ジメチル−１’−シクロヘキシル）エトキシ］−２−メチルプロピルプロパノエート、Ｆｉｒｍｅｎｉｃｈ ＳＡ、Ｇｅｎｅｖａ、Ｓｗｉｔｚｅｒｌａｎｄ
６）  ３−メチル−５−シクロペンタデセン−１−オン、Ｆｉｒｍｅｎｉｃｈ ＳＡ、Ｇｅｎｅｖａ、Ｓｗｉｔｚｅｒｌａｎｄ。
【００７３】
【表２−２】
2020520399.tif 000006
１）  １−（オクタヒドロ−２，３，８，８−テトラメチル−２−ナフタレニル）−１−エタノン、Ｉｎｔｅｒｎａｔｉｏｎａｌ Ｆｌａｖｏｒｓ ＆ Ｆｒａｇｒａｎｃｅｓ、ＵＳＡ
２）  （−）−（８Ｒ）−８，１２−エポキシ−１３，１４，１５，１６−テトラノルラブダン、Ｆｉｒｍｅｎｉｃｈ ＳＡ、Ｇｅｎｅｖａ、Ｓｗｉｔｚｅｒｌａｎｄ
３）  ３，３−ジメチル−５−（２，２，３−トリメチル−３−シクロペンテン−１−イル）−４−ペンテン−２−オール、Ｆｉｒｍｅｎｉｃｈ ＳＡ、Ｇｅｎｅｖａ、Ｓｗｉｔｚｅｒｌａｎｄ
４）  １，２，３，５，６，７−ヘキサヒドロ−１，１，２，３，３−ペンタメチル−４−インデノン、Ｉｎｔｅｒｎａｔｉｏｎａｌ Ｆｌａｖｏｒｓ ＆ Ｆｒａｇｒａｎｃｅｓ、ＵＳＡ
５）  ペンタデカノリド、Ｆｉｒｍｅｎｉｃｈ ＳＡ、Ｇｅｎｅｖａ、Ｓｗｉｔｚｅｒｌａｎｄ
６）  ペンタデカノリド、Ｆｉｒｍｅｎｉｃｈ ＳＡ、Ｇｅｎｅｖａ、Ｓｗｉｔｚｅｒｌａｎｄ
７）  ２−エチル−４−（２，２，３−トリメチル−３−シクロペンテン−１−イル）−２−ブテン−１−オール、Ｉｎｔｅｒｎａｔｉｏｎａｌ Ｆｌａｖｏｒｓ ＆ Ｆｒａｇｒａｎｃｅｓ。
【００７４】
【表２−３】
2020520399.tif 000007
【表２−４】
2020520399.tif 000008
１）  ２−エチル−４−（２，２，３−トリメチル−３−シクロペンテン−１−イル）−２−ブテン−１−オール、Ｉｎｔｅｒｎａｔｉｏｎａｌ Ｆｌａｖｏｒｓ ＆ Ｆｒａｇｒａｎｃｅｓ、ＵＳＡ
２）  （＋−）−テトラヒドロ−２−イソブチル−４−メチル−４（２Ｈ）−ピラノール、Ｆｉｒｍｅｎｉｃｈ ＳＡ、Ｇｅｎｅｖａ、Ｓｗｉｔｚｅｒｌａｎｄ
３）  ペンタデカノリド、Ｆｉｒｍｅｎｉｃｈ ＳＡ、Ｇｅｎｅｖａ、Ｓｗｉｔｚｅｒｌａｎｄ
４）  （１Ｓ，１’Ｒ）−２−［１−（３’，３’−ジメチル−１’−シクロヘキシル）エトキシ］−２−メチルプロピルプロパノエート、Ｆｉｒｍｅｎｉｃｈ ＳＡ、Ｇｅｎｅｖａ、Ｓｗｉｔｚｅｒｌａｎｄ
５）  １−（オクタヒドロ−２，３，８，８−テトラメチル−２−ナフタレニル）−１−エタノン、Ｉｎｔｅｒｎａｔｉｏｎａｌ Ｆｌａｖｏｒｓ ＆ Ｆｒａｇｒａｎｃｅｓ、ＵＳＡ
６）  Ｇｉｖａｕｄａｎ ＳＡ
７）  ５−（２，２，３−トリメチル−３−シクロペンテニル）−３−メチルペンタン−２−オール、ＧＩＶＡＵＤＡＮ ＳＡ。
【００７５】
【表２−５】
2020520399.tif 000009
１）  （−）−（８Ｒ）−８，１２−エポキシ−１３，１４，１５，１６−テトラノルラブダン、Ｆｉｒｍｅｎｉｃｈ ＳＡ、Ｇｅｎｅｖａ、Ｓｗｉｔｚｅｒｌａｎｄ
２）  （＋−）−２，２，２−トリクロロ−１−フェニルエチルアセテート
３）  １−（３，５，５，６，８，８−ヘキサメチル−５，６，７，８−テトラヒドロ−２−ナフタレニル）エタノン。
【００７６】
実施例１
付香組成物の製造及び安定性の性能の評価
【表３】
2020520399.tif 000010
１）  ＴＣＤアルコールＤＭ、出所：Ｏｘｅａ
２）  出所：Ｆｉｒｍｅｎｉｃｈ ＳＡ、Ｇｅｎｅｖａ、Ｓｗｉｔｚｅｒｌａｎｄ
３）  出所：Ｆｉｒｍｅｎｉｃｈ ＳＡ、Ｇｅｎｅｖａ、Ｓｗｉｔｚｅｒｌａｎｄ
４）  第１−ａ表を参照されたい。
【００７７】
第２表において挙げた全ての組成物は、室温で試料を放置してそれらの変化を観察する前に、透明であると視覚的に評価された。
【００７８】
ＤｉＰＧを含む比較組成物Ｘは、室温で約１４日後に沈殿し始めた（わずかに濁った状態）ように見えた。４６日後に顕著な沈殿を観察した。
【００７９】
対照的に、組成物Ａ（ＤｉＰＧをヘキシレングリコールに置き換えた場合）は、３５日後；すなわち、比較組成物Ｘが沈殿したかなり後にのみに沈殿し始める（わずかに濁る状態）。５８日後に顕著な沈殿が生じた。
【００８０】
組成物Ｂにおいて、ヘキシレングリコールの一部を水に置き換えた。試料は、８５日間（すなわち約３ヶ月）透明であった。
【００８１】
上記の結果は、付香組成物中のヘキシレングリコールの存在が、貯蔵時の前記組成物中のＴＣＤアルコールＤＭの再結晶化を著しく妨げることを強調している。
【００８２】
【表４】
2020520399.tif 000011
１）  ＴＣＤアルコールＤＭ、出所：Ｏｘｅａ
２）  出所：Ｆｉｒｍｅｎｉｃｈ ＳＡ、Ｇｅｎｅｖａ、Ｓｗｉｔｚｅｒｌａｎｄ
３）  出所：Ｆｉｒｍｅｎｉｃｈ ＳＡ、Ｇｅｎｅｖａ、Ｓｗｉｔｚｅｒｌａｎｄ
４）  出所：Ａｃｒｏｓ Ｏｒｇａｎｉｃｓ
５）  第１−ａ表を参照されたい。
【００８３】
比較組成物Ｙにおいて、ＴＣＤアルコールＤＭを、補助溶剤としてＤｉＰＧも使用して、グリセロールで部分的に置き換えた。その場合、室温で約３０日後に結晶化が生じる。比較として、ＤｉＰＧの代わりにヘキシレングリコールを含む本発明による組成物は、室温で約５２日後に非常にわずかな沈殿を示す。
【００８４】
実施例２
異なるフレグランスを使用した本発明による付香組成物の製造
付香組成物を、異なるフレグランスを使用して製造した。
【００８５】
【表５】
2020520399.tif 000012
１）  ＴＣＤアルコールＤＭ、出所：Ｏｘｅａ
２）  出所：Ｆｉｒｍｅｎｉｃｈ ＳＡ、Ｇｅｎｅｖａ、Ｓｗｉｔｚｅｒｌａｎｄ
３）  第１−ｂ表を参照されたい。
４）  第１−ｃ表を参照されたい。
５）  第１−ｄ表を参照されたい。
【００８６】
本発明による組成物Ｄ〜Ｆは、室温で少なくとも２８日間安定であった。これらの結果は、本発明による付香組成物が、広いｌｏｇＰ範囲をカバーするフレグランスで製造できることを強調している。
【００８７】
実施例３
付香組成物の製造及び安定性の性能の評価
【表６】
2020520399.tif 000013
１）  ＴＣＤアルコールＤＭ、出所：Ｏｘｅａ
２）  出所：Ｆｉｒｍｅｎｉｃｈ ＳＡ、Ｇｅｎｅｖａ、Ｓｗｉｔｚｅｒｌａｎｄ
３）  出所：Ｆｉｒｍｅｎｉｃｈ ＳＡ、Ｇｅｎｅｖａ、Ｓｗｉｔｚｅｒｌａｎｄ
４）  第１−ｃ表を参照されたい。
【００８８】
比較組成物Ｚについて室温で５ヶ月保存した後に結晶化が生じる一方で、組成物Ｇ及びＨは、室温で８ヶ月保存した後でさえも再結晶化を示さない。
【国際調査報告】
2020520399.tif 000014
2020520399.tif 000015
2020520399.tif 000016